(57)【要約】      （修正有）【課題】回転式のロールスクリーンを備えた表示装置であって、組み立て作業が容易である表示装置を提供する。【解決手段】フレームＦの一端部に、駆動装置により回転駆動される一対の駆動輪１２を備えると共に、フレームＦの他端部に、一対の従動輪１５を備え、駆動輪１２及び従動輪１５に無端状のロールスクリーンＳを巻回した構造を有し、フレームＦが、駆動輪側の第１フレーム部Ｆ１と、従動輪側の第２フレーム部Ｆ２とから成ると共に、第１及び第２のフレーム部Ｆ１，Ｆ２を回動可能に連結するヒンジ部Ｈを備え、さらに、第１及び第２のフレーム部Ｆ１，Ｆ２を直線的に連続させた状態で拘束する拘束機構を備えた表示装置。【選択図】図７
2019184915.tif 000002
【特許請求の範囲】
【請求項１】
フレームの一端部に、駆動装置と、駆動装置により回転駆動される一対の駆動輪とを備えると共に、フレームの他端部に、駆動輪の回転軸に対して自己の回転軸を平行に配置した一対の従動輪を備え、駆動輪及び従動輪に無端状のロールスクリーンを巻回した構造を有し、
フレームが、駆動輪側の第１フレーム部と、従動輪側の第２フレーム部とから成ると共に、第１及び第２のフレーム部を駆動輪の回転軸と平行な軸線回りに回動可能に連結するヒンジ部を備え、
さらに、第１及び第２のフレーム部を直線的に連続させた状態で拘束する拘束機構を備えたことを特徴とする表示装置。
【請求項２】
拘束機構が、第１及び第２のフレーム部に跨がって配置したストッパと、ストッパ及び第１フレーム部を貫通する第１ロッドと、ストッパ及び第２フレーム部を貫通する第２ロッドとを備えていることを特徴とする請求項１に記載の表示装置。
【請求項３】
少なくともロールスクリーンの一面を露出状態にして、フレーム、駆動装置、駆動輪及び従動輪から成る組立体を保持するベースを備え、
第１ロッドが、ベース、ストッパ及び第１フレーム部を貫通すると共に、
第２ロッドが、ベース、ストッパ及び第２フレーム部を貫通することを特徴とする請求項２に記載の表示装置。
【請求項４】
組立体とともにベースを収納する外箱を備え、
外箱が、ロールスクリーンの一面を露出状態にする窓部を有していることを特徴とする請求項３に記載の表示装置。
【発明の詳細な説明】
【技術分野】
【０００１】
本発明は、例えば店舗等において、商品の宣伝広告を表示するのに用いられる表示装置に関し、とくに、回転式のロールスクリーンを備えた表示装置に関するものである。
【背景技術】
【０００２】
従来における表示装置としては、例えば、特許文献１に記載されたものがある。特許文献１に記載の表示装置は、正面側を開放した箱形のフレームを備えると共に、フレーム内の左右に回転ドラムを備えている。左右の回転ドラムには、表示シート（ロールスクリーン）がエンドレスに巻き掛けてある。一方の回転ドラムは、モータ及びベルトにより回転駆動される。他方のドラムは、回転自在である。そして、表示装置は、一方の回転ドラムを回転駆動することにより表示シートを回転させ、フレームの開放部分において、表示シートが一方向に移動するように表示する。
【先行技術文献】
【特許文献】
【０００３】
【特許文献１】特開平２−１４９８８６号公報
【発明の概要】
【発明が解決しようとする課題】
【０００４】
しかしながら、上記したような従来の表示装置にあっては、組み立てる際、回転ドラムに表示シートを巻き掛けながら、その回転ドラムをフレームに取り付けることから、少なくとも表示シートに適当な張力が付与されて安定するまでの間、組み立て作業が煩雑であるという問題点があり、このような問題点を解決することが課題であった。
【０００５】
本発明は、上記従来の課題に着目して成されたものであって、回転式のロールスクリーンを備えた表示装置であって、組み立て作業が容易である表示装置を提供することを目的としている。
【課題を解決するための手段】
【０００６】
本発明に係わる表示装置は、フレームの一端部に、駆動装置と、駆動装置により回転駆動される一対の駆動輪とを備えると共に、フレームの他端部に、駆動輪の回転軸に対して自己の回転軸を平行に配置した一対の従動輪を備え、駆動輪及び従動輪に無端状のロールスクリーンを巻回した構造を有している。そして、表示装置は、フレームが、駆動輪側の第１フレーム部と、従動輪側の第２フレーム部とから成ると共に、第１及び第２のフレーム部を駆動輪の回転軸と平行な軸線回りに回動可能に連結するヒンジ部を備え、さらに、第１及び第２のフレーム部を直線的に連続させた状態で拘束する拘束機構を備えた構成としており、上記構成をもって課題を解決するための手段としている。
【発明の効果】
【０００７】
本発明に係わる表示装置は、駆動装置、駆動輪及び従動輪を備えたフレームを、ヒンジ部で折り曲げた状態にして、無端状のロールスクリーンの内側に入れる。そして、表示装置は、フレームが直線状態になる方向に第１及び第２のフレーム部を回動させると、駆動輪及び従動輪がロールスクリーンの内周面に対して突っ張るように接触し、これによりロールスクリーンに適当な張力を付与する。その後、表示装置は、拘束機構により、第１及び第２のフレーム部を直線的に連続させた状態で拘束する。
【０００８】
このようにして、上記の表示装置は、回転式のロールスクリーンを備えた表示装置において、その組み立て作業を容易に行うことができ、生産性の向上などに貢献することができる。
【図面の簡単な説明】
【０００９】
【図１】本発明に係わる表示装置の一実施形態を説明する斜視図（Ａ）、及び外箱に収納する内部機構を説明する（Ｂ）である。
【図２】表示装置の内部機構を説明する正面図（Ａ）、及び図Ａ中のＡ−Ａ線矢視に基づく断面図（Ｂ）である。
【図３】フレームを含む組立体を説明する正面図（Ａ）、底面図（Ｂ）、及びフレームの側面図（Ｃ）である。
【図４】ロールスクリーンを説明する正面図（Ａ）、及び底面図（Ｂ）である。
【図５】図２中のストッパを説明する正面図（Ａ）、底面図（Ｂ）、及び側面図（Ｃ）、並びに図１中のロッドを分解状態で説明する正面図（Ｄ）、及び図Ｄ中のＡ−Ａ線矢視図（Ｅ）である。
【図６】図２中のベースを説明する正面図（Ａ）、底面図（Ｂ）、及び側面図（Ｃ）である。
【図７】組立体とロールスクリーンの組み立て作業を順次説明する各々底面図（Ａ）〜（Ｃ）である。
【発明を実施するための形態】
【００１０】
図１（Ａ）に示す表示装置Ａは、直方体型の外箱Ｂに、図１（Ｂ）に示す内部機構Ｃを収納している。外箱Ｂは、正面に開口部を有すると共に、開口部を塞ぐ透明シートを設けてこれを窓部Ｗとし、この窓部Ｗを通して、ロールスクリーンＳの一面を露出状態にしている。外箱Ｂの外面には、適宜の意匠装飾を施すことができる。なお、この実施形態では、図１（Ａ）に示す姿勢、すなわち外箱Ｂの正面の長辺を水平にした姿勢を基準にして、各構成の上下左右の位置関係を説明する。
【００１１】
表示装置Ａの内部機構Ｃは、図２に示すように、フレームＦの一端部（図２中で右端部）に、駆動装置１１と、駆動装置１１により回転駆動される上下一対の駆動輪１２，１２とを備えている。また、内部機構Ｃは、フレームＦの他端部（図２中で左端部）に、駆動輪１２の回転軸１３に対して自己の回転軸１４を平行に配置した上下一対の従動輪１５，１５を備えている。さらに、内部機構Ｃは、駆動輪１２及び従動輪１５に無端状のロールスクリーンＳを巻回した構造を有している。
【００１２】
そして、表示装置Ａの内部機構Ｃは、図３に示すように、フレームＦが、駆動輪１２側の第１フレーム部Ｆ１と、従動輪１５側の第２フレーム部Ｆ２とから成ると共に、第１及び第２のフレーム部Ｆ１，Ｆ２を駆動輪１２及び従動輪１５の回転軸１３，１４と平行な軸線回りに回動可能に連結するヒンジ部Ｈを備えている。さらに、表示装置Ａの内部機構Ｃは、第１及び第２のフレーム部Ｆ１，Ｆ２を互いに直線的に連続させた状態で拘束する拘束機構を備えている。
【００１３】
この実施形態の拘束機構は、第１及び第２のフレーム部Ｆ１，Ｆ２に跨がって配置したストッパ１６と、ストッパ１６及び第１フレーム部Ｆ１を貫通する第１ロッドＲ１と、ストッパ１６及び第２フレーム部Ｆ２を貫通する第２ロッドＲ２とを備えている。
【００１４】
さらに、表示装置Ａの内部機構Ｃは、図２に示すように、少なくともロールスクリーンＳの一面を露出状態にして、フレームＦ、駆動装置１１、駆動輪１２及び従動輪１５から成る組立体Ｄを保持するベースＥを備えている。そこで、先述した拘束機構の第１及び第２のロッドＲ１，Ｒ２は、ストッパ１６及び夫々のフレーム部Ｆ１，Ｆ２だけでなく、ベースＥも貫通する。
【００１５】
すなわち、第１ロッドＲ１は、ベースＥ、ストッパ１６及び第１フレーム部Ｆ１を貫通する。また、第２ロッドＲ２は、ベースＥ、ストッパ１６及び第２フレーム部Ｆ２を貫通する。なお、外箱Ｂは、ベースＥの外寸法に応じた内寸法を有しており、上記組立体ＤとともにベースＥを収納する。
【００１６】
次に、表示装置Ａの各構成部材を詳細に説明する。
各構成部材は、材料が限定されるものではないが、より望ましい実施形態として、少なくともフレームＦ、ストッパ１６及びベースＥは、紙製とすることができ、一例として段ボール紙を用いることができる。紙製の構成部材は、軽量で加工性が良好であるとともに安価であり、折り曲げたり撓ませたりすることが自在であるから、組み立ても非常に容易になる。このような構成部材は、平坦に展開させた状態で製造することができ、その後、折り曲げて適宜の箇所を接着することで立体的な所望の形態となる。また、例えば、駆動輪１２、従動輪１５、第１及び第２のロッドＲ１，Ｒ２等のような可動部材は、耐久性等を考慮して、プラスチック若しくはプラスチックをコーティングした紙類を用いることがより望ましい。
【００１７】
フレームＦは、図３に示すように、長辺を水平にした矩形状の基板１７ａと、基板１７ａの上下端部から正面側に延出する上下のフランジ部１７ｂ，１７ｂと、各フランジ部１７ｂの内側に設けた上下の中空部１７ｃ，１７ｃとを有する。上下の中空部１７ｃは、基板１７ａ及びフランジ部１７ｂを２辺とする断面矩形状を成し、各フランジ部１７ｂの両端部分を除く範囲に形成してある。また、上下の中空部１７ｃ，１７ｃは、夫々の水平面において、竪の中心線に対して対称となる左右の位置に、ロッド挿通孔１７ｄ，１７ｄが形成してある。
【００１８】
上記のフレームＦは、上下のフランジ部１７ｂ及び中空部１７ｃを中心線に沿って切断することで、駆動輪１２側の第１フレーム部Ｆ１と、従動輪１５側の第２フレーム部Ｆ２とに分割されている。この際、第１及び第２のフレーム部Ｆ１，Ｆ２は、基板１７ａにより連続しており、この連続部分を折り曲げて先述のヒンジ部Ｈとしている。
【００１９】
駆動装置１１は、その詳細を省略するが、モータ及び歯車減速機構を内蔵すると共に、外部電源の入力部（コネクタ）１１ａを有しており、フレームＦの上下の中空部１７ｃ、１７ｃの間に配置してある。そして、駆動装置１１は、モータの出力軸に上下の駆動輪１２の回転軸１３が連結してあり、これにより両駆動輪１２を回転駆動する。
【００２０】
駆動輪１２は、その外周に、複数の爪部１２ａが等間隔で設けてある。また、駆動輪１２の上下の回転軸１３は、フレームＦ（第１フレーム部Ｆ１）の上下のフランジ部１７ｂ、１７ｂを回転自在に貫通すると共に、各フランジ部１７ｂの内側面に当接する抜け止め用の鍔部１３ａを有している。
【００２１】
従動輪１５は、フレームＦの反対側となる外側面に、やや大径にした鍔部１５ａを有している。また、従動輪１５の回転軸１４は、フレームＦ（第２フレーム部Ｆ２）の上下のフランジ部１７ｂ，１７ｂを回転自在に貫通すると共に、各フランジ部１７ｂの内側面に当接する抜け止め用の鍔部１４ａを有している。
【００２２】
ロールスクリーンＳは、図４に示すように、薄いプラスチック製のシートから成ると共に、そのシートの両端部同士を接着して無端状にしたものであり、その外周面には、例えば商品の宣伝広告等を掲載することができる。また、ロールスクリーンＳは、周方向の両端部に、駆動輪１２の爪部１２ａと係脱自在な送り穴１８が、全周にわたって等間隔で形成してある。
【００２３】
このロールスクリーンＳは、適当な張力が付与された状態で、駆動輪１２と従動輪１５とに巻回される。このとき、ロールスクリーンＳは、駆動輪１２においては爪部１２ａに送り穴１８が係合し、従動輪１５においては鍔部１５ａで規制することで、脱落が防止されている。
【００２４】
ストッパ１６は、図５（Ａ）〜（Ｃ）に示すように、基板１６ａの上下に、背面方向に延出する上下のフランジ部１６ｂ，１６ｂを有すると共に、各フランジ部１６ｂには、竪の中心線に対して対称的な左右位置に、ロッド挿通孔１６ｃ，１６ｃが形成してある。このストッパ１６は、図２及び図３に示すように、第１及び第２のフレーム部Ｆ１，Ｆ２に跨がるようにして、フレームＦの中央部の正面に配置され、上下の中空部１７ｃ，１７ｃの外側の面に、フランジ部１６ｂ，１６ｂが重なる。
【００２５】
第１及び第２のロッドＲ１，Ｒ２は、図５（Ｄ）及び（Ｅ）に示すように、断面円形の中空部材から成るもので、ベースＥの上下寸法に相当する長さを有すると共に、両端部に抜け止め用の鍔部１９が設けてある。このとき、少なくとも一方の鍔部１９は、表示装置Ａの組み立て時に外すことができるように、ロッドの中空部に着脱可能な軸部１９ａを有している。
【００２６】
ベースＥは、図６に示すように、長辺を水平方向にした矩形状の基板２０ａと、基板２０ａの上下から正面方向に延出した上下の支持壁２０ｂ，２０ｂと、各支持壁２０ｂの中央部から内側に張り出した断面矩形状の中空部２０ｃ，２０ｃとを有している。上下の中空部２０ｃ，２０ｃは、夫々の水平面において、竪の中心線に対して対称となる左右の位置に、ロッド挿通孔２０ｄ，２０ｄが形成してある。
【００２７】
上記のベースＥは、フレームＦ、駆動装置１１、駆動輪１２及び従動輪１５から成る組立体Ｄを保持するもので、上下の中空部２０ｃ，２０ｃの間にフレームＦが収まるように組立体Ｄを収容する。この際、フレームＦのロッド挿通孔１７ｄ，１７ｄと、ストッパ１６のロッド挿通孔１６ｃ，１６ｃと、ベースＥのロッド挿通孔２０ｄ，２０ｄが、互いに同軸線上に一致する。
【００２８】
上記構成を備えた表示装置Ａの内部機構Ｃは、予め図３に示す組立体Ｄ（ストッパ１６を除く）を組み立てた状態にして、ロールスクリーンＳと組み合わせる。この際、組立体Ｄは、フレームＦが、ヒンジＨで連結された第１及び第２のフレーム部Ｆ１，Ｆ２を備えているので、図７（Ａ）に示すように、フレームＦをヒンジ部Ｈで折り曲げた状態にすれば、無端状のロールスクリーンＳの内側に容易に入れることができる。
【００２９】
その後、組立体Ｄは、図７（Ｂ）に示すように、フレームＦが直線状態になる方向に第１及び第２のフレーム部Ｆ１，Ｆ２を回動させる。そして、組立体Ｄは、図７（Ｃ）に示すように、フレームＦを直線状にすることで、駆動輪１２及び従動輪１５をロールスクリーンの内周面に対して突っ張るように接触させる。
【００３０】
これにより、ロールスクリーンＳは、駆動輪１２の爪部１２ａに送り穴１８が係合すると共に、駆動輪１２及び従動輪１５に、所定の張力が付与された状態で巻回される。この際、組立体Ｄは、フレームＦの長手方向にロールスクリーンＳの張力が作用するので、フレームＦの直線状態を維持することが可能である。この直線状態の維持は、いわゆる仮止めの状態であるが、手を離してもヒンジ部Ｈで折れ曲がることがないので、組み立て作業の際には非常に便利である。
【００３１】
さらに、組立体Ｄは、図２及び図３に示すように、フレームＦの正面、すなわちヒンジ部Ｈの反対面にストッパ１６を設ける。この際、組立体Ｄでは、ロールスクリーンＳとフレームＦとの間隔が狭くなるものの、ストッパ１６を平坦に変形させることが可能であるから、フレームＦにストッパ１６を容易に設けることができる。この際、ストッパ１６は、フレームＦに接着しても良く、これによりフレームＦを直線状態に拘束し得る。
【００３２】
そして、組立体Ｄは、図２に示すように、ストッパ１６とともにベースＥに装着する。ベースＥは、中空部２０ｃ、２０ｃをロールスクリーンＳの内側に入り込ませて、両中空部２０ｃ、２０ｃの間に組立体ＤのフレームＦ及びストッパ１６を収容する。この際、ベースＥは、基板２０ａに対して支持壁２０ｂを外側に折り曲げることが可能であるから、ロールスクリーンＳの内側で中空部２０ｃ、２０ｃ間にフレームＦを容易に挟む込むことができる。
【００３３】
その後、フレームＦのロット挿通孔１７ｄ，１７ｄ、ストッパ１６のロッド挿通孔１６ｃ，１６ｃ、及びベースＥのロッド挿通孔２０ｄ，２０ｄに、第１及び第２のロッドＲ１、Ｒ２を夫々貫通させ、各ロッドＲ１，Ｒ２の端部に一方の鍔部１９（軸部１９ａを有する鍔部１９）を装着する。これにより、内部機構Ｃの組み立てが完了する。
【００３４】
この際、フレームＦは、ヒンジ部Ｈで連結したフレーム部Ｆ１，Ｆ２を貫通する第１及び第２のロッドＲ１，Ｒ２が、共通部品であるストッパ１６及びベースＥをも貫通しているので、直線状態に確実に拘束され、ロールスクリーンＳに張力を付与し続ける。
【００３５】
その後、表示装置Ａは、図１（Ｂ）に示すように、駆動装置１１の入力部１１ａに電源コード２１を接続する。電源コード２１は、図外の他端側に、変圧器や電源プラグ、スイッチ等を備えたもので、ロールスクリーンＳの側部からベースＥの内側に沿って外部に導き出される。この際、ベースＥの適当な箇所に電源コード２１の保持部を設けておくことも有効である。
【００３６】
そして、表示装置Ａは、図１（Ａ）に示すように、外箱Ｂに、組立体Ｄを含むベースＥを収納して、外箱Ｂの窓部Ｗを通してロールスクリーンＳの一面を露出させる。また、電源コード２１は、外箱Ｂの外部に導き出される。
【００３７】
上記の表示装置Ａは、駆動装置１１により駆動輪１２を回転駆動することで、駆動輪１２と従動輪１５との間でロールスクリーンＳを回転させ、窓部Ｗにおいて、ロールスクリーンＳの掲載内容が一方向に移動するように表示する。
【００３８】
上記実施形態で説明した表示装置Ａは、とくに、フレームＦが、駆動輪側の第１フレーム部Ｆ１と、従動輪側の第２フレーム部Ｆ２とをヒンジ部Ｈで連結した構成にしたことから、駆動輪１２及び従動輪１５に対するロールスクリーンＳの巻回、並びにロールスクリーンＳに対する張力の付与が極めて容易である。これにより、上記の表示装置Ａは、回転式のロールスクリーンＳを備えた表示装置において、その組み立て作業を容易に行うことができ、生産性の向上などに貢献することができる。
【００３９】
また、表示装置Ａは、ストッパ１６、第１及び第２のロッドＲ１，Ｒ２を備えた拘束機構を採用したことにより、簡単な構造でフレームＦの直線状態を確実に維持することができ、組み立て作業のさらなる簡略化に貢献することができる。
【００４０】
さらに、表示装置Ａは、組立体Ｄを保持するベースＥを備え、このベースＥにも第１及び第２のロッドＲ１，Ｒ２を貫通させているので、少ない部品点数で、組立体ＤのフレームＦ、ストッパ１６及びベースＥを互いに拘束することができ、組み立て作業のさらなる簡略化や製造コストの低減を実現することができる。
【００４１】
さらに、表示装置Ａは、ロールスクリーンＳの一面を露出状態にする窓部Ｗを有する外箱Ｂを採用したことから、全体がコンパクトで外観体裁も良好であり、店舗等に用いるＰＯＰ用品として利便性の高いものとなる。
【００４２】
なお、表示装置Ａは、上記実施形態では、図１に示す姿勢を基準にして各構成を説明したが、正面の長辺が垂直になる姿勢や、窓部Ｗを上面とする姿勢でも使用することができるので、外箱Ｂの向きを変えるだけで、ロールスクリーンＳの掲載内容の移動方向を自由に選択することができる。
【００４３】
また、本発明に係わる表示装置は、その構成が上記実施形態に限定されるものではなく、本発明の要旨を逸脱しない範囲で適宜変更することが可能であり、各構成部材の材料、形態、大きさ及び数等の任意に選択することができる。さらに、上記実施形態の表示装置は、外部電源を用いるものとしたが、例えば、駆動装置用の電池やスイッチを一体的に備えた構成にすることも可能である。
【符号の説明】
【００４４】
Ａ  表示装置
Ｂ  外箱
Ｄ  組立体
Ｅ  ベース
Ｆ  フレーム
Ｆ１  第１フレーム部
Ｆ２  第２フレーム部
Ｈ  ヒンジ部
Ｒ１  第１ロッド（拘束機構）
Ｒ２  第２ロッド（拘束機構）
Ｓ  ロールスクリーン
Ｗ  窓部
１１  駆動装置
１２  駆動輪
１３  駆動輪の回転軸
１４  従動輪の回転軸
１５  従動輪
１６  ストッパ（拘束機構）
【図１】
2019184915.tif 000003
【図２】
2019184915.tif 000004
【図３】
2019184915.tif 000005
【図４】
2019184915.tif 000006
【図５】
2019184915.tif 000007
【図６】
2019184915.tif 000008
【図７】
2019184915.tif 000009